(57)【特許請求の範囲】
【請求項１】
開閉操作部材の回転に伴って進退されるラッチを、施解錠操作部材の施錠回転操作で後退規制してデッドボルトとして機能させるデッドボルト兼用ラッチ錠の開閉操作部材回転禁止機構であって、
前記施解錠操作部材に連結され施錠方向の回転で前記ラッチの後退を規制するクリックカムと、
前記開閉操作部材の軸部に固定され当接部を有するカム板と、
規制部を有し解錠位置の前記クリックカムに押圧されて該カム板の回転を許可する位置に配置されるロックブロックと、
前記クリックカムが施錠位置方向へ回転されることによる前記押圧の解除にて該ロックブロックの規制部を、前記当接部との干渉位置に配置して前記カム板の回転を規制する付勢手段と、
を具備するとともに、
前記規制部が、前記当接部の軌跡円上の２点ＰＱを通る直線Ｇ上を往復移動され、
前記押圧の解除前における前記規制部と前記点Ｐの距離ａが、
前記直線Ｇと、前記当接部を通り前記直線Ｇと平行な仮想線Ｔとの離間距離Ａより小さく設定され構成されることを特徴とするデッドボルト兼用ラッチ錠の開閉操作部材回転禁止機構。
【発明の詳細な説明】
【技術分野】
【０００１】
本発明は、デッドボルト兼用ラッチ錠の開閉操作部材回転禁止機構に関する。
【背景技術】
【０００２】
近年、ガラス素材の強度向上によって全面ガラス扉が多用されるようになってきている。全面ガラス扉は、例えばオフィスビルの玄関や店舗の入り口に設置される場合に、施錠装置を設ける必要がある。従来、この種の全面ガラス扉に施錠装置を設ける場合には、吊元金具や、上框、下框或いは中央部に付設した金属枠部に施錠装置を設けるのが一般的であった。ところが、施錠装置を設けるために金属枠部分を付設するのでは、折角の全面ガラス扉の意匠性を低下させることがあり、好ましくはこれら金属枠部分が設けられない方が良い。このような不具合を解消するものに、扉ガラス素材に直接穿設した取付穴を利用して、施錠装置のみを全面ガラス扉に取り付けた特許文献１のドア錠が提案されている。このドア錠によれば、全面ガラス扉に施錠装置を設けるための金属枠部を付設せずに、全面ガラス扉の開閉端にドア錠のみを取り付けでき、全面ガラス扉の意匠性を損ねず、見栄えを向上させることができた。
【特許文献１】特表２００２−５２３６６０号公報
【発明の開示】
【発明が解決しようとする課題】
【０００３】
上記した従来のドア錠は、扉ガラス素材に直接穿設した取付穴を利用して取付けできることから、金属枠部分を付設する場合に比べ、全面ガラス扉の意匠性を低下させずに済む。しかし、全面ガラスであることから、意匠性、デザイン性等を更に加味すると、その施錠装置の専有面積はできる限り小さいことが好ましい。このため、通常の施解錠機構のようにラッチボルトとデッドボルトの双方を設けることは装置のコンパクト化に不利となる。そこで、ラッチを後退規制してデッドボルトとして機能させるデッドボルト兼用ラッチ錠が考えられる。デッドボルトを不要とし、その分コンパクト化され、デザインの自由度が高まる。
【０００４】
ところが、このようなデッドボルト兼用ラッチ錠では、例えば、室内からの施錠の際、サムターンを回し始めているときに、外部から操作入力の大きいレバーハンドル等によって開扉操作がなされると、在室者の施錠意志に反しラッチが後退され開扉される虞がある。このような事態は、デッドボルト兼用ラッチ錠であるために生じる問題であり、デッドボルトとラッチが別体であれば発生しない。デッドボルトとラッチが別体であれば、同時操作の場合、デッドボルトによる施錠はハンドル操作に規制されることなく優先される。このため、特に、デッドボルト兼用ラッチ錠では、同時操作時に、開閉操作部材の回転が禁止される施錠優先機構が防犯性を高める上でも重要となる。また、錠装置が同時操作されると内部機構を破損する虞もあった。
【０００５】
本発明は上記状況に鑑みてなされたもので、施解錠操作部材の操作時における開閉操作部材の回転操作を禁止できるデッドボルト兼用ラッチ錠の開閉操作部材回転禁止機構を提供し、もって、防犯性の向上、機構破損の防止を図ることを目的とする。
【課題を解決するための手段】
【０００６】
次に、上記の課題を解決するための手段を、実施の形態に対応する図面を参照して説明する。
本発明の請求項１記載のデッドボルト兼用ラッチ錠１００の開閉操作部材回転禁止機構は、開閉操作部材２３の回転に伴って進退されるラッチ２５を、施解錠操作部材２７の施錠回転操作で後退規制してデッドボルトとして機能させるデッドボルト兼用ラッチ錠１００の開閉操作部材回転禁止機構であって、
前記施解錠操作部材２７に連結され施錠方向の回転で前記ラッチ２５の後退を規制するクリックカム１５１と、
前記開閉操作部材２３の軸部３５に固定され当接部１９１を有するカム板４１と、
規制部１８１ｃを有し解錠位置の前記クリックカム１５１に押圧されて該カム板４１の回転を許可する位置に配置されるロックブロック１８１と、
前記クリックカム１５１が施錠位置方向へ回転されることによる前記押圧の解除にて該ロックブロック１８１の規制部１８１ｃを、前記当接部１９１との干渉位置に配置して前記カム板４１の回転を規制する付勢手段１８７と、
を具備するとともに、
前記規制部１８１ｃが、前記当接部１９１の軌跡円Ｏ上の２点ＰＱを通る直線Ｇ上を往復移動され、
前記押圧の解除前における前記規制部１８１ｃと前記点Ｐの距離ａが、
前記直線Ｇと、前記当接部１９１を通り前記直線Ｇと平行な仮想線Ｔとの離間距離Ａより小さく設定され構成されている。
【０００７】
このデッドボルト兼用ラッチ錠１００の開閉操作部材回転禁止機構では、施解錠操作部材２７が施錠操作されると、クリックカム１５１によるロックブロック１８１の押圧が解除され、付勢手段１８７にてロックブロック１８１が移動されることで、ロックブロック１８１の規制部１８１ｃがカム板４１の当接部１９１と干渉位置に配置され、カム板４１、すなわち、開閉操作部材２３の回転が禁止となる。
そして、開閉操作部材２３と施解錠操作部材２７の同時操作時に、当接部１９１が直線Ｇを横切る前に、規制部１８１ｃが軌跡円Ｏを横切るので、規制部１８１ｃが先に当接部１９１の移動先で待ち受けることとなり、当接部１９１の移動阻止が優先される。すなわち、開閉操作部材２３の回転が禁止される。
【発明の効果】
【０００８】
本発明に係る請求項１記載のデッドボルト兼用ラッチ錠の開閉操作部材回転禁止機構によれば、施解錠操作部材に連結されるクリックカムと、開閉操作部材に固定され当接部を有するカム板と、規制部を有するロックブロックと、クリックカムの施錠回転で規制部を、当接部との干渉位置に配置する付勢手段とを備えたので、施解錠操作部材の操作時における開閉操作部材の回転操作を禁止でき、デッドボルト兼用ラッチ錠の防犯性を向上させ、機構破損を防止することができる。
【０００９】
また、規制部が、当接部の軌跡円上の２点ＰＱを通る直線Ｇ上を往復移動され、押圧の解除前における規制部と点Ｐの距離ａが、直線Ｇと、当接部を通り直線Ｇと平行な仮想線Ｔとの離間距離Ａより小さい設定となる構成としたので、開閉操作部材の回転規制（換言すれば、施解錠操作部材の施錠回転）を優先させることができる。これにより、施解錠操作部材と開閉操作部材の同時操作においても、外部からのハンドル操作を禁止して、施錠を確実に行うことができる。
【発明を実施するための最良の形態】
【００１０】
以下、本発明に係るデッドボルト兼用ラッチ錠の開閉操作部材回転禁止機構の好適な実施の形態を図面を参照して詳細に説明する。
図１は開閉操作部材回転禁止機構を備えたデッドボルト兼用ラッチ錠の室内側から視た斜視図、図２は図１に示したデッドボルト兼用ラッチ錠の取り付けられた全面ガラス扉を室外側から視た正面図、図３は図１に示したデッドボルト兼用ラッチ錠を室外側から視た斜視図である。
本実施の形態によるデッドボルト兼用ラッチ錠の開閉操作部材回転禁止機構は、開閉体である例えば両開きの全面ガラス扉に、面付錠の形態として好適に用いることができる。この他、当該開閉操作部材回転禁止機構は、片開きの全面ガラス扉、両開き・片開きのスチール扉等に用いても好適なものである。本実施の形態では、当該開閉操作部材回転禁止機構を備えた図１に示すデッドボルト兼用ラッチ錠（以下、単に「ラッチ錠」とも称す。）１００が両開きの全面ガラス扉１１（１１ａ，１１ｂ）に設けられる例を説明する。
【００１１】
図２に示すように、建物開口の左右にはガラスパネル１３，１３が設けられ、ガラスパネル１３，１３は開口サッシ等に取付固定されている。ガラスパネル１３，１３に挟まれる出入口開口部には上記した一対の全面ガラス扉１１ａ，１１ｂがヒンジ１５，１５を介して開閉自在に支持され、全面ガラス扉１１ａ，１１ｂは一方向（本実施の形態では室内側）へ開放規制可能となる。
【００１２】
全面ガラス扉１１ａ，１１ｂは、例えば一方の全面ガラス扉１１ａが開閉規制され、他方の全面ガラス扉１１ｂのみが開閉可能となる。この場合、一方の全面ガラス扉１１ａの開閉規制は、ヒンジ１５等に設けられる開閉規制手段等によって可能となる。この状態で、他方の全面ガラス扉１１ｂが一方の全面ガラス扉１１ａへ施錠されれば、一対の全面ガラス扉１１ａ，１１ｂの双方は、開閉規制された施錠状態となる。本実施の形態のラッチ錠１００は、他方の全面ガラス扉１１ｂを一方の全面ガラス扉１１ａへ施錠するように働く。
【００１３】
一方の全面ガラス扉１１ａには被係止体１７が取り付けられ、被係止体１７はラッチ錠１００から突出する後述のデッドボルト兼用ラッチ（以下、単に、「ラッチ」とも称す。）の先端を係止可能としている。つまり、一方の全面ガラス扉１１ａが固定されている状態で、他方の全面ガラス扉１１ｂは、ラッチが被係止体１７に係止することで、室内側（図２の紙面裏面側）への開放が規制される。
【００１４】
ラッチ錠１００は、錠ケース２１と、開閉操作部材であるレバーハンドル２３Ａ，２３Ｂと、ラッチ２５と、レバーハンドル２３Ａ，２３Ｂに並設される施解錠操作部材（サムターン）２７と、施解錠操作部材（シリンダ錠）２９と、トリガー３１とが外部に表出して設けられている。錠ケース２１は、室外側ケース２１ａと室内側ケース２１ｂとからなる。室外側ケース２１ａと室内側ケース２１ｂとは、全面ガラス扉１１ｂの扉開閉端３２を挟持して取り付けられる。室外側ケース２１ａと室内側ケース２１ｂとのそれぞれからは、先端にハンドル部３３を形成したレバーハンドル２３Ａ，２３Ｂの軸部３５が扉面３７に垂直な方向で突出している。
【００１５】
ラッチ錠１００は、全面ガラス扉１１ｂに固定された錠ケース２１から進退するラッチ２５の先端を扉開閉端３２から突出させて、被係止体１７に係止することで全面ガラス扉１１ｂを施錠（開扉規制状態と）する。レバーハンドル２３Ａ，２３Ｂは、扉面３７に垂直な方向で、全面ガラス扉１１ｂ及び錠ケース２１を軸部３５が貫通して回動自在となっている。ラッチ錠１００は、レバーハンドル２３Ａ，２３Ｂが用いられることで、開閉操作部材が例えば玉状握りハンドル等である場合に比べ、回動中心（軸部３５の中心）から操作力の印加される作用点までの距離が大きく確保され、少ない回転操作力が容易且つ確実に錠機構へ入力可能となっている。
【００１６】
図４は図１に示したデッドボルト兼用ラッチ錠の内部構成を表す正面図である。
室内側ケース２１ｂ内には開口５３（図１参照）を介して軸部３５が挿通され、軸部３５にはカムボス５５が外挿される。カムボス５５の外周にはカム板４１の貫通穴４３が外挿される。カム板４１は、後述する増幅揺動アーム７７と連結アーム８３とで連動機構部４０を構成している。このカム板４１は、板金材よりなる一対の板材を平行に折り曲げて形成される。また、カム板４１には捩りバネ５７が内設され、捩りバネ５７はカム板４１を図４の時計回りに付勢している。カム板４１の外周には凹所を挟んで回転規制突起４５とストッパ４７とが形成され、回転規制突起４５とストッパ４７とはカム板４１が正逆回転することで、室内側ケース２１ｂの内壁４９に立設された起立ピン５１にそれぞれが当接してカム板４１を所定角度範囲で回転規制する。また、起立ピン５１には消音カラー６３が外挿され、消音カラー６３はカム板４１との接触音を軽減する。
【００１７】
室内側ケース２１ｂの上部には横方向に長い引込み杆（リトラクター）５９が長手方向に往復動自在に収容される。引込み杆５９の先端には連結ピン２０１を介してラッチ２５が連結される。ラッチ２５は、往動することで室内側ケース２１ｂから進出して扉開閉端３２から突出され、復動することにより室内側ケース２１ｂ内に後退する。ラッチ２５は、扉開閉端３２から突出した状態で、被係止体１７の係止部（例えばストライク）６５に係止する。これにより、全面ガラス扉１１ｂは開扉規制されることとなる。
【００１８】
室内側ケース２１ｂの内壁４９には突出規制ピン６７が立設され、突出規制ピン６７はラッチ２５の所定量以上の往動を規制する。突出規制ピン６７には先端をラッチ２５に当接した付勢手段である圧縮バネ６９の後端が当接され、圧縮バネ６９はラッチ２５を突出方向へ付勢している。
【００１９】
室内側ケース２１ｂの内壁４９には揺動軸７５が立設され、揺動軸７５には、連動機構部４０を構成する増幅揺動アーム７７が外挿される。この増幅揺動アーム７７は、基端が揺動軸７５に回動自在に支持され、先端７７ａが係合ピン７３を介して引込み杆５９の長穴６１に係合している。増幅揺動アーム７７は、起立ピン９２に掛けられた付勢バネ７９で受け座９４が押圧されて図４の時計回りに付勢されている。
【００２０】
カム板４１には連結アーム８３の基端が回動自在に固定され、連結アーム８３の先端は増幅揺動アーム７７に回動自在に固定されている。連結アーム８３の基端とカム板４１とは連結ピン９３によって連結され、連結アーム８３の先端と増幅揺動アーム７７とは、連結穴９１に嵌入される連結ピン９５によって連結される。
【００２１】
したがって、レバーハンドル２３Ａ，２３Ｂに図４の反時計回りの回転力が入力されると、その回転がカム板４１、連結アーム８３、増幅揺動アーム７７に伝達され、係合ピン７３に係合する長穴６１を介し、引込み杆５９がラッチ２５を図４の左方に移動、すなわち、室内側ケース２１ｂ内に引き込む。
【００２２】
ラッチ錠１００では、カム板４１からの回転力を、連結アーム８３と増幅揺動アーム７７とを介して引込み杆５９へ伝達することで、カム板４１と連結アーム８３との固定部、すなわち、連結ピン９３の回転距離が、ラッチ２５のケース内後退方向の距離よりも小さく構成される。つまり、ラッチ２５の早戻し機構が構成されている。
【００２３】
この早戻し機構は、連結アーム８３の基端をカム板４１の回転半径外側に固定するとともに、連結アーム８３の先端を増幅揺動アーム７７の回動半径、すなわち増幅揺動アーム７７自体の長さの略中央部と揺動軸７５との間の当該増幅揺動アーム７７に固定することで構成される。
【００２４】
この早戻し機構では、連結アーム８３の基端がカム板４１の回転半径外側に固定されることで、レバーハンドル２３Ａ，２３Ｂの回転から大きな回転入力距離が取り出せる。また、回転入力距離が増幅揺動アーム７７の揺動軸７５側に入力されることで、回転入力距離が増幅され、増幅揺動アーム７７のラッチ後退作動距離に変換される。この結果、少ないレバーハンドル２３Ａ，２３Ｂの回転角度でラッチ２５を後退操作する。通常のレバーハンドルが４５°程度の開閉操作角度が必要となるのに対し、本構成では、２３°程度の開閉操作角度の入力でラッチ２５の十分な後退を実現している。
【００２５】
また、ラッチ錠１００では、揺動軸７５を、カム板４１と扉開閉端３２との間に配設している。これにより、カム板４１と扉開閉端３２との間で往復作動するラッチ２５の収容空間に並設して増幅揺動アーム７７が配設可能となり、カム板４１と扉開閉端３２との間のラッチ収容空間が有効利用される。したがって、カム板４１を挟んで反対側に増幅揺動アーム７７が配置される場合に比べ、室内側ケース２１ｂ内における構成部材の高密度配置が可能となる。この結果、カム板４１の反対側に増幅揺動アーム７７を設ける構成に比べ、錠ケース２１をコンパクト化している。
【００２６】
室内側ケース２１ｂの内壁４９にはサムターン軸７１が貫通されている。サムターン軸７１には相対回転不能に筒状部材のクリックカム１５１が設けられ、クリックカム１５１はサムターン２７の施解錠回転操作に従動して一体に回動される。なお、サムターン軸７１にはシリンダ錠２９の回動体も連結され、クリックカム１５１はシリンダ錠２９による施解錠操作によっても一体に回動される。クリックカム１５１の外周近傍には後述のロックカム１６５が配置される。クリックカム１５１及びサムターン軸７１の配置位置は、ラッチ２５と互いに近接した配置位置とされ、また、連動機構部４０を構成する増幅揺動アーム７７に干渉しない位置とされ、錠ケース２１内の無駄な空間をできるだけ少なく配置構成されている。
【００２７】
クリックカム１５１の外周には突片が突設され、この突片にはクリックバー１５９がピン１５７ａを介して連結される。クリックバー１５９の先端にはクリックバー受け１６１が外挿され、クリックバー受け１６１は基端が内壁４９に固定されている。クリックバー１５９の基端とクリックバー受け１６１との間にはクリックバネ１６３が外挿され、クリックバネ１６３はクリックバー１５９を介してクリックカム１５１に正逆方向の回転モーメントを付与する。これにより、クリックカム１５１は、図４に示す解錠位置と図６に示す施錠位置とにクリック感を生じさせて節度的に回動配置される。
【００２８】
クリックカム１５１近傍の内壁４９にはロックカム１６５が設けられ、ロックカム１６５は内壁４９に立設された支持ピン１６９に長穴１６５ａを係合させて上下方向へスライド自在となっている。ロックカム１６５の上端には規制片１６５ｂが折曲形成され、規制片１６５ｂはクリックカム１５１の施錠方向の回転に押圧されてロックカム１６５を押し上げる。ロックカム１６５は、クリックカム１５１の回転に伴い押し上げられることにより、規制片１６５ｂがラッチ２５の切欠部２６に当接して、ラッチ２５の後退を阻止する。つまり、ラッチ２５が施錠用閂であるデッドボルトとして働くようになっている。なお、ロックカム１６５は、図示しないバネなどの付勢部材により、常に下方向に付勢される。クリックカム１５１の回転が解錠方向となると、その付勢力で初期位置に復帰する。
【００２９】
トリガー３１にはトリガープレート１７１が設けられ、トリガープレート１７１はトリガーガイド１７５によって室内側ケース２１ｂにスライド自在に固定される。トリガープレート１７１にはトリガーバネ１７９が外挿され、トリガーバネ１７９はトリガー３１を突出方向に付勢する。トリガープレート１７１の後部にはストッパ突起１７１ａが起立し、ストッパ突起１７１ａはトリガー３１が突出した状態でトリガー当接突起１５５に当接してクリックカム１５１の回動を規制する（図７参照）。したがって、開扉時には、クリックカム１５１に連結されるシリンダ錠２９やサムターン２７の操作が不能となり、突出状態のラッチ２５が無用なロック状態となることを防止している。この結果、後退規制されたラッチ２５が衝接することによるストライク６５や全面ガラス扉１１ａ，１１ｂ、或いは錠機構の破損を未然に防止し、安全性を向上させている。
【００３０】
室内側ケース２１ｂにはラッチ２５の進退方向に長尺なロックブロック１８１が設けられ、ロックブロック１８１は長手方向に移動することで、ラッチ２５の進退方向と平行にスライド自在となっている。
【００３１】
ロックブロック１８１の後端と室内側ケース２１ｂとの間には付勢手段としての圧縮バネ１８７が配設され、圧縮バネ１８７はロックブロック１８１をラッチ２５の突出方向に付勢する。ロックブロック１８１の先端には解錠回転位置（図４の回転位置）のクリックカム１５１の規制突起１８９が当接され、規制突起１８９は圧縮バネ１８７を圧縮する方向にロックブロック１８１を押圧している。一方、クリックカム１５１が施錠のために反時計回りに回転されると、ロックブロック１８１は、圧縮バネ１８７によって右方へスライドされ（図６参照）、規制部１８１ｃがカム板４１の当接部１９１に当接するようになっている。カム板４１は、当接部１９１にロックブロック１８１の規制部１８１ｃが当接することで、回動が阻止される。つまり、ロックブロック１８１は、クリックカム１５１の施錠位置への回転に従動して、カム板４１の回転を規制する位置へ配置されるようになっている。このレバーハンドル２３Ａ，２３Ｂの回転不能状態により、施錠確認が容易となる。
【００３２】
図５はカム板とロックブロックの詳細を表す拡大斜視図である。
ロックブロック１８１は長手方向両端にピン孔１８１ａ，１８１ｂを有している。ピン孔１８１ａ，１８１ｂには係合ピン１８３ａ，１８３ｂが挿入され、係合ピン１８３ａ，１８３ｂは挿入先端が内壁４９の長穴１８５等に係合されている。ロックブロック１８１は、係合ピン１８３ａ，１８３ｂを長穴１８５の長手方向に移動させることで、底板部１７８に沿ってラッチ２５の進退方向と平行にスライド自在となっている。圧縮バネ１８７は、クリックカム１５１が施錠位置へ回転されることによる押圧の解除にてロックブロック１８１の規制部１８１ｃを、当接部１９１との干渉位置に配置してカム板４１の回転を規制する。
【００３３】
ラッチ錠１００は全面ガラス扉１１ｂの開閉に伴って進退されるラッチ２５を、施解錠操作部材であるサムターン２７やシリンダ錠２９の施錠回転操作で後退規制し、デッドボルトとして機能させる。ラッチ２５は、サムターン２７等に連結されるクリックカム１５１によって後退規制される。このクリックカム１５１とラッチ２５とには、両者に亘って施錠規制手段３０１が設けられている。この施錠規制手段３０１は、ラッチ２５の後退によって、相互干渉する位置に配置され、クリックカム１５１の施錠方向の回転を阻止する。
【００３４】
本実施の形態において、施錠規制手段３０１は、ラッチ２５の進退方向後端のクリックカム対向部に形成された干渉突起３０５と、クリックカム１５１の外周に突設され後退したラッチ２５のこの干渉突起３０５に当接してクリックカム１５１の施錠方向の回転を阻止する施錠回転規制突起３０７とからなる。
【００３５】
施錠規制手段３０１は、ラッチ２５に形成した干渉突起３０５と、クリックカム１５１の外周に突設した施錠回転規制突起３０７とで構成することにより、専用部材を新たに追加することなく、ラッチ２５及びクリックカム１５１の形状変更のみにより、簡素に構成されている。
【００３６】
次に、上記した開閉操作部材回転禁止機構の作用を説明する。
図６は図１に示したデッドボルト兼用ラッチ錠の閉扉施錠状態における内部構成を表す正面図、図７は図１に示したデッドボルト兼用ラッチ錠の開扉状態における内部構成を表す正面図、図８は閉扉状態における開閉操作部材回転（開放操作）時の内部構成を表す正面図、図９は閉扉状態における開閉操作部材・施解錠操作部材回転時の内部構成を表す正面図、図１０はカム板とロックブロックの相対位置関係を表す模式図である。
図４に示すように、ラッチ錠１００は、全面ガラス扉１１ｂの閉止状態において、ラッチ２５が扉開閉端３２から突出され、ストライク６５に係止して、全面ガラス扉１１ｂを開扉規制状態とする。また、トリガー３１は、室内側ケース２１ｂ内に後退された状態となる。
【００３７】
ラッチ錠１００は、閉扉状態において、施解錠操作部材であるサムターン２７等が操作されて図６に示すようにクリックカム１５１が施錠位置となると、このクリックカム１５１の回転に従動してロックカム１６５がラッチ２５の移動方向に直交してスライドし、規制片１６５ｂが切欠部２６の後退位置に配置され、ラッチ２５の後退を阻止する。これによりラッチ２５がデッドボルトとして働くようになる。すなわち、デッドボルトを必要としない少ない部材で施解錠機構を構成している。
【００３８】
サムターン２７等が操作されることで、クリックカム１５１が施錠位置へ回転されると、クリックカム１５１によるロックブロック１８１の押圧が解除され、圧縮バネ１８７にてロックブロック１８１の規制部１８１ｃが、当接部１９１の回転を規制する位置へ移動し、カム板４１の回転、すなわち、レバーハンドル２３Ａ，２３Ｂの回転を規制する。これにより、施錠状態ではレバーハンドル２３Ａ，２３Ｂを回転不能とすることで、容易に施錠状態であることが分かるようになる。
【００３９】
サムターン２７等の操作により解錠がなされ、全面ガラス扉１１ｂの開扉操作のためにレバーハンドル２３Ａ，２３Ｂが反時計回りに回転されると、連動機構部４０のカム板４１が同方向へ回転され、カム板４１に連結アーム８３を介して連結された増幅揺動アーム７７も同方向へ回転される。増幅揺動アーム７７が反時計回りに回転されることで、増幅揺動アーム７７の係合ピン７３が引込み杆５９の長穴６１を左方へ押圧し、ラッチ２５が室内側ケース２１ｂ内へ引き込まれることとなる。
【００４０】
これにより、ラッチ２５がストライク６５から外れ、全面ガラス扉１１ｂの開扉規制状態が解除される。全面ガラス扉１１ｂが開放され、レバーハンドル２３Ａ，２３Ｂへの開扉操作力が消失すると、図７に示すように、カム板４１が捩りバネ５７によって時計回りに回転され、ストッパ４７が起立ピン５１に当接してカム板４１の回転が停止する。また、ラッチ２５も圧縮バネ６９によって右方へ移動され、突出規制ピン６７に当接して所定量以上の突出が規制される。この状態でトリガー３１も突出される。
【００４１】
トリガー３１が突出すると、ストッパ突起１７１ａがトリガー当接突起１５５に当接し、クリックカム１５１の回動を規制する。したがって、開扉時にはクリックカム１５１に連結されるサムターン２７や、シリンダ錠２９の操作が不能となり、デッドボルトとして働くラッチ２５の、開扉時における無用なロック状態での突出が規制される。これにより、全面ガラス扉１１ｂが閉められれば、ラッチ２５は常に室内側ケース２１ｂ内へと後退することとなる。
【００４２】
一方、図８に示すように、開扉途中や閉扉途中など、ラッチ２５が完全に突出していない状態で、サムターン２７やシリンダ錠２９が早期に施錠回転操作されると、施錠規制手段３０１を介して後退位置にあるラッチ２５にクリックカム１５１が干渉する。すなわち、クリックカム１５１の施錠回転規制突起３０７の上方に、ラッチ後部の干渉突起３０５が配置される。この状態でクリックカム１５１が施錠方向（反時計回り）に回転されれば、施錠回転規制突起３０７が干渉突起３０５に当接し、クリックカム１５１の施錠方向の回転が阻止される。ラッチ２５は、後部が施錠回転規制突起３０７によって上方へ押圧されるが、上面が室内側ケース２１ｂの天面に接しているため、押し上げられることはない。
【００４３】
図９に示すように、閉扉時、サムターン２７が回転開始されると、上記のように、ロックブロック１８１の押圧が解除され、圧縮バネ１８７にてロックブロック１８１の規制部１８１ｃが、当接部１９１の回転を規制する位置へ移動し、カム板４１の回転を規制する。このとき、同時にレバーハンドル２３Ａ，２３Ｂが回転されても、規制部１８１ｃが先に干渉位置に到達しているため、レバーハンドル２３Ａ，２３Ｂは回転が阻止されるようになっている。
【００４４】
すなわち、ラッチ錠１００では、図１０に示すように、規制部１８１ｃの先端Ｋが、当接部１９１の先端Ｊの軌跡円Ｏ上の２点ＰＱを通る直線Ｇ上を往復移動するとき、押圧の解除前における先端Ｋと点Ｐの距離ａが、直線Ｇと、当接部１９１の先端Ｊを通り直線Ｇと平行な仮想線Ｔとの離間距離Ａより小さく設定されている（Ａ＞ａ）。これにより、レバーハンドル２３Ａ，２３Ｂとサムターン２７の同時操作時に、当接部１９１の先端Ｊが直線Ｇを横切る前に、規制部１８１ｃの先端Ｋが軌跡円Ｏを横切るので、規制部１８１ｃが先に当接部１９１の移動先で待ち受けることとなり、当接部１９１の移動阻止が優先されることとなる。
【００４５】
したがって、上記構成のラッチ錠１００の開閉操作部材回転禁止機構によれば、サムターン２７の操作時におけるレバーハンドル２３Ａ，２３Ｂの回転操作を禁止でき、防犯性を向上させ、機構破損を防止することができる。
【００４６】
また、レバーハンドル２３Ａ，２３Ｂの回転規制（換言すれば、サムターン２７の施錠回転）を優先させることができる。これにより、サムターン２７とレバーハンドル２３Ａ，２３Ｂの同時操作においても、外部からのハンドル操作を禁止して、施錠を確実に行うことができる。
【００４７】
なお、上記の実施の形態では、開閉操作部材がレバーハンドル２３Ａ，２３Ｂである場合を例に説明したが、本発明に係る開閉操作部材回転禁止機構は、開閉操作部材が玉状握りハンドル、所謂ノブであっても勿論よく、或いは、異形の操作部材としてもよく、いずれも、操作時における回転角度が少なく構成でき、操作部材として狭小範囲内への設置なども可能となる。そして、上記したレバーハンドル２３Ａ，２３Ｂを含め、操作者の操作範囲を小さくすることができるものであり、開閉操作の動作が大きくとれない者であっても開閉操作を行うことができるものである。
【００４８】
また、上記の実施の形態では、ラッチ錠１００が、両開きの全面ガラス扉１１に設けられる場合を例に説明したが、本発明に係るデッドボルト兼用ラッチ錠は、片開きの全面ガラス扉、両開き・片開きのスチール扉、或いは、木製扉等に用いられても勿論よく、錠装置として小型な構造であることから、小型な扉にも対応可能であり、且つその種々の素材の扉の意匠性に大きな影響を与えることなく、良好な錠装置を構成させることが可能となる。
【図面の簡単な説明】
【００４９】
【図１】開閉操作部材回転禁止機構を備えたデッドボルト兼用ラッチ錠の室内側から視た斜視図である。
【図２】図１に示したデッドボルト兼用ラッチ錠の取り付けられた全面ガラス扉を室外側から視た正面図である。
【図３】図１に示したデッドボルト兼用ラッチ錠を室外側から視た斜視図である。
【図４】図１に示したデッドボルト兼用ラッチ錠の内部構成を表す正面図である。
【図５】カム板とロックブロックの詳細を表す拡大斜視図である。
【図６】図１に示したデッドボルト兼用ラッチ錠の閉扉施錠状態における内部構成を表す正面図である。
【図７】図１に示したデッドボルト兼用ラッチ錠の開扉状態における内部構成を表す正面図である。
【図８】閉扉状態における開閉操作部材回転（開放操作）時の内部構成を表す正面図である。
【図９】閉扉状態における開閉操作部材・施解錠操作部材回転時の内部構成を表す正面図である。
【図１０】カム板とロックブロックの相対位置関係を表す模式図である。
【符号の説明】
【００５０】
２３Ａ，２３Ｂ…開閉操作部材（レバーハンドル）
２５…ラッチ
２７…施解錠操作部材（サムターン）
２９…施解錠操作部材（シリンダ錠）
３５…軸部
４１…カム板
１００…デッドボルト兼用ラッチ錠（ラッチ錠）
１５１…クリックカム
１８１…ロックブロック
１８１ｃ…規制部
１８７…付勢手段（圧縮バネ）
１９１…当接部
Ａ…離間距離
ａ…規制部と点Ｐの距離
Ｇ…直線
Ｏ…当接部の軌跡円
Ｐ，Ｑ…２点
Ｔ…仮想線
【図１】
0005133654.tif 000002
【図２】
0005133654.tif 000003
【図３】
0005133654.tif 000004
【図４】
0005133654.tif 000005
【図５】
0005133654.tif 000006
【図６】
0005133654.tif 000007
【図７】
0005133654.tif 000008
【図８】
0005133654.tif 000009
【図９】
0005133654.tif 000010
【図１０】
0005133654.tif 000011